(57)【要約】【課題】送信先を設定して画像を送信するカメラにおいて、画像の送信先を使用者に事前に確認させる。【解決手段】電子カメラの制御回路は、画像を取得し、取得した画像が識別対象物である顔を含むか否かを判定する。この判定により識別対象物を含むと判定された画像に対して、登録された送信先を設定し、通信モジュールからアクセスポイントへ送信させる（ステップＳ１０１５）。こうして画像を送信する前に、その画像とその画像に設定された送信先とを含む確認用画面をモニタに表示させる（ステップＳ１００８）。【選択図】図１１
2010045620.tif 000002
【特許請求の範囲】
【請求項１】
識別対象物の画像情報と送信先とを互いに関連付けて登録する登録手段と、
画像を取得する取得手段と、
前記登録手段により登録された画像情報に基づいて、前記取得手段により取得された画像が前記識別対象物を含むか否かを判定する判定手段と、
前記判定手段により前記識別対象物を含むと判定された画像に対して、前記登録手段により登録された送信先を設定する送信先設定手段と、
前記送信先設定手段により送信先を設定された画像を無線通信装置から外部の無線機器へ送信させる送信制御手段と、
前記無線通信装置が前記画像を送信する前に、前記画像と前記画像に設定された送信先とを含む確認用画面を表示モニタに表示させる表示制御手段とを備えることを特徴とする情報処理装置。
【請求項２】
請求項１に記載の情報処理装置において、
前記確認用画面が表示されているときの使用者の操作に応じて、前記画像に対する送信先の設定を解除する送信設定解除手段をさらに備えることを特徴とする情報処理装置。
【請求項３】
請求項１または２に記載の情報処理装置において、
前記登録手段は、除外対象物の画像情報をさらに登録し、
前記送信先設定手段は、前記判定手段により前記識別対象物を含むと判定された画像が前記除外対象物を含む場合には、その画像に対する送信先の設定を無効化し、
前記送信制御手段は、前記送信先の設定が無効化された画像を前記無線通信装置による送信の対象から除外することを特徴とする情報処理装置。
【請求項４】
請求項３に記載の情報処理装置において、
前記表示制御手段は、前記確認用画面において、前記送信先の設定が無効化された画像を他の画像と区別して前記表示モニタに表示させることを特徴とする情報処理装置。
【請求項５】
請求項４に記載の情報処理装置において、
前記確認用画面が表示されているときの使用者の操作に応じて、前記送信先の設定が無効化された画像に対して前記送信先の設定を有効化する送信設定有効化手段をさらに備え、
前記送信制御手段は、前記送信先の設定が有効化された画像を前記無線通信装置による送信の対象に加えることを特徴とする情報処理装置。
【請求項６】
請求項１〜５のいずれか一項に記載の情報処理装置において、
前記登録手段は、複数の識別対象物の画像情報に対して、各々に個別の送信先に加えて共通の送信先をさらに関連付けて登録し、
前記送信先設定手段は、前記複数の識別対象物を含む画像に対しては、前記個別の送信先に替えて前記共通の送信先を設定することを特徴とする情報処理装置。
【請求項７】
請求項１〜６のいずれか一項に記載の情報処理装置と、
被写体を撮像して画像信号を出力する撮像手段とを備え、
前記取得手段は、前記撮像手段から出力される画像信号に基づいて前記画像を取得することを特徴とするカメラ。
【発明の詳細な説明】
【技術分野】
【０００１】
本発明は、情報処理装置およびカメラに関する。
【背景技術】
【０００２】
従来、人物の顔画像と電子メールアドレスとをユーザデータベースに記憶し、これに基づいて、デジタルカメラなどのユーザ端末からアップロードされた画像を配信するサーバーが知られている（特許文献１参照）。
【０００３】
【特許文献１】特開２００４−３２６２８１号公報
【発明の開示】
【発明が解決しようとする課題】
【０００４】
特許文献１に開示されるサーバーは、画像の送信後にその結果をユーザ端末に対して通知する。そのため、画像の送信先をユーザ端末の使用者は事前に確認することができない。したがって、使用者が意図しない送信先に画像が送信されてしまう可能性がある。
【課題を解決するための手段】
【０００５】
本発明による情報処理装置は、識別対象物の画像情報と送信先とを互いに関連付けて登録する登録手段と、画像を取得する取得手段と、登録手段により登録された画像情報に基づいて、取得手段により取得された画像が識別対象物を含むか否かを判定する判定手段と、判定手段により識別対象物を含むと判定された画像に対して、登録手段により登録された送信先を設定する送信先設定手段と、送信先設定手段により送信先を設定された画像を無線通信装置から外部の無線機器へ送信させる送信制御手段と、無線通信装置が画像を送信する前に、画像と画像に設定された送信先とを含む確認用画面を表示モニタに表示させる表示制御手段とを備える。
本発明によるカメラは、情報処理装置と、被写体を撮像して画像信号を出力する撮像手段とを備え、取得手段は、撮像手段から出力される画像信号に基づいて画像を取得する。
【発明の効果】
【０００６】
本発明によれば、画像の送信先を使用者に事前に確認させることができる。
【発明を実施するための最良の形態】
【０００７】
図１は、本実施の形態における画像転送システムの一実施の形態の構成を示すブロック図である。画像転送システム１００は、カメラ２００と、画像記録用サーバー３００と、メールサーバー４００と、パーソナルコンピュータ（ＰＣ）５００と、アクセスポイント（無線基地局）６００とが、互いにインターネット等の通信網を介して接続されている。なお、図中に示した矢印は、各機器間におけるデータの流れを模式的に示したものである。
【０００８】
カメラ２００は、例えば無線通信機能を備えたデジタルカメラであって、無線ＬＡＮのアクセスポイント６００を介してインターネットに接続する。使用者は、このカメラ２００を操作して画像を取得し、その画像を画像記録用サーバー３００へアップロードすることができる。また、使用者は、後述するように、カメラ２００上で各画像に対して宛先としてのメールアドレスを対応付けることができ、カメラ２００からは、その対応付け結果を表す宛先リストが送信用情報として画像記録用サーバー３００に送信される。カメラ２００による処理の詳細については後述する。
【０００９】
画像記録用サーバー３００は、カメラ２００から送信される画像ファイル、および宛先リストを受信し、受信した画像ファイルをハードディスクなどの記憶媒体に記録すると共に、宛先リストに基づいて特定される画像の宛先に対して、画像ファイルがアップロードされた旨を通知するためのお知らせメールを作成する。ここで作成されるお知らせメールの具体例については、図２により後述する。画像記録用サーバー３００は、作成したお知らせメールをメールサーバー４００へ送信し、その後、メールサーバー４００を経由して、宛先として指定されているメールアドレスに応じたメールサーバー４００のメールボックスに配信される。
【００１０】
宛先として指定されたメールアドレスの所有者は、ＰＣ５００にインストールされているメールソフトを用いてメールサーバー４００からお知らせメールを受信することによって、ＰＣ５００のモニタ上でお知らせメールを閲覧することができる。
【００１１】
なお、お知らせメールは、例えば、図２に示すように、画像記録サーバー３００に記録されている画像ファイルにアクセスするためのリンク（ＵＲＬ）２ａと、画像記録用サーバー３００が画像をアップロードされたことを通知するメッセージ文２ｂと、そのメールアドレスが宛先として設定された画像のうち、所定数、例えば３つの画像のサムネイル画像２ｃとが表示されている。メールの受信者は、メール上でリンク２ａ、あるいはサムネイル画像２ｃをクリックすることによって、リンク先の画像ファイルをダウンロードして、ＰＣ５００上で閲覧することができる。
【００１２】
図３は、本実施の形態におけるカメラ２００の一実施の形態の構成を示すブロック図である。カメラ２００は、操作部材２０１と、レンズ２０２と、撮像素子２０３と、制御装置２０４と、ＳＤＲＡＭ２０５と、フラッシュメモリ２０６と、メモリカードスロット２０７と、モニタ２０８と、通信モジュール２０９とを備えている。
【００１３】
操作部材２０１は、使用者によって操作される種々の入力部材、例えば電源ボタン、レリーズボタン、ズームボタン（ズームアップボタン、ズームダウンボタン）、ロータリーマルチセレクター、再生ボタン、削除ボタン、メールボタンなどを含んでいる。
【００１４】
ロータリーマルチセレクターとは、例えば、図４に示すように、回転部４ａと、中央部のＯＫボタン４ｂとから構成されている。使用者は、回転部４ａを右方向（時計回り）または左方向（反時計回り）に回転させるか、あるいは回転部４ａを十字キーに見立てて、上、下、左、右のいずれかを押下することによって、項目を選択したり画像を選択することができる。そして、ＯＫボタン４ｂを押下することによって、選択した項目を確定することができる。
【００１５】
なお、本実施の形態では、回転部４ａを右方向に回すことを「ロータリーマルチセレクターを右に回す」と表現し、左方向へ回すことを「ロータリーマルチセレクターを左に回す」と表現する。また、回転部４ａの上を押下することを「ロータリーマルチセレクターの上を押す」、回転部４ａの下を押下することを「ロータリーマルチセレクターの下を押す」、回転部４ａの左を押下することを「ロータリーマルチセレクターの左を押す」、回転部４ａの右を押下することを「ロータリーマルチセレクターの右を押す」とそれぞれ表現する。
【００１６】
レンズ２０２は、複数の光学レンズから構成されるが、図３では代表して１枚のレンズで表している。撮像素子２０３は、例えばＣＣＤやＣＭＯＳであり、レンズ２０２により結像した被写体像を撮像して画像を取得する。そして、取得した画像データを制御装置２０４へ出力する。
【００１７】
制御装置２０４は、ＣＰＵやその他の周辺回路により構成され、後述するＳＤＲＡＭ２０５を作業領域として使用して、撮像素子２０３から入力された画像データに画像処理を施す。例えば、画像データに対して階調補正処理や色変換処理を施した後、所定の画像形式、例えばＪｐｅｇ形式に圧縮し、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルを生成する。そして、生成した画像ファイルを後述するメモリカードスロット２０７へ出力する。
【００１８】
ＳＤＲＡＭ２０５は、揮発性のメモリであって、ＣＰＵがプログラム実行時にプログラムを展開するためのワークメモリとして使用されたり、データを一時的に記録するためのバッファメモリとして使用される。また、フラッシュメモリ２０６は、不揮発性のメモリであって、ＣＰＵによって実行されるプログラムのデータや、プログラム実行時に読み込まれる種々のパラメータなどが記録されている。
【００１９】
メモリカードスロット２０７は、着脱可能な記憶媒体であるメモリカード、例えばＳＤカードを挿入するためのスロットであって、上述したように、制御装置２０４から出力される画像ファイルをメモリカードに書き込んで記録する。また、制御装置２０４からの指示に基づいて、メモリカード内に記憶されている画像ファイルを読み出して制御装置２０４へ出力したり、記録されている画像ファイルを削除したりする。
【００２０】
モニタ２０８は、カメラ２００の背面に搭載された液晶モニタ（背面モニタ）であり、当該モニタ２０８には、メモリカードに記憶されている画像（再生画像）やカメラ２００を設定するための設定メニューなどの種々の情報が表示される。また、制御装置２０４が撮像素子２０３で取得した画像を時系列でモニタ２０８に出力することによって、モニタ２０８には、各フレームの画像が所定時間間隔で順番に表示される。すなわちモニタ２０８にはスルー画が表示される。
【００２１】
通信モジュール２０９は、カメラ２００がアクセスポイント６００と無線通信するための無線ＬＡＮモジュールである。通信モジュール２０９は、制御装置２０４によって制御され、使用者によって通信の開始が指示されると、アクセスポイント６００との間で無線通信を確立して、アクセスポイント６００を介してインターネットに接続する。なお、アクセスポイント６００との間で無線通信を開始するための処理については後述する。
【００２２】
以下、本実施の形態における制御装置２０４による処理について説明する。この制御装置２０４は、登録部２０４ａと、撮影処理実行部２０４ｂと、データ送信部２０４ｃとを機能的に備えている。
【００２３】
登録部２０４ａは、送信先のメールアドレスや顔データを登録するための登録処理を実行する。撮影処理実行部２０４ｂは、画像の撮影および送信予約を行うための撮影処理を実行する。送信予約では、登録部２０４ａが実行する登録処理によって登録されたメールアドレスと顔データに基づいて、撮影した画像の宛先が自動的に設定される。データ処理部２０４ｃは、撮影処理実行部２０４ｂが行う送信予約によって宛先が設定された画像を送信するための送信制御処理を行う。
【００２４】
登録部２０４ａが実行する登録処理のフローチャートを図５に示す。この処理は、使用者によるメニュー操作に基づいて、カメラ２００のモードが登録モードに設定されると起動するプログラムとして実行される。
【００２５】
ステップＳ１００において、登録部２０４ａは、送信先のメールアドレスを登録するか否かを判定する。使用者がロータリーマルチセレクターの操作などによってメールアドレスの登録を選択した場合、登録部２０４ａはステップＳ２００へ進み、メールアドレス登録処理を実行する。このメールアドレス登録処理の具体的な内容は、後で図６のフローチャートにより説明する。ステップＳ２００を実行したら、登録部２０４ａは図５のフローチャートを終了する。一方、送信先のメールアドレスを登録しない場合、登録部２０４ａはステップＳ３００へ進む。
【００２６】
ステップＳ３００において、登録部２０４ａは、画像の送信予約を行うための顔登録を行うか否かを判定する。使用者がロータリーマルチセレクターの操作などによって顔の登録を選択した場合、登録部２０４ａはステップＳ４００へ進み、顔登録処理を実行する。この顔登録処理の具体的な内容は、後で図７のフローチャートにより説明する。ステップＳ４００を実行したら、登録部２０４ａは図５のフローチャートを終了する。一方、顔登録をしない場合、登録部２０４ａはステップＳ５００へ進む。
【００２７】
ステップＳ５００において、登録部２０４ａは、グループ登録を行うか否かを判定する。グループ登録とは、複数の顔を１グループにまとめて１つの送信先に対応付けて登録することである。使用者がロータリーマルチセレクターの操作などによってグループ登録を選択した場合、登録部２０４ａはステップＳ６００へ進み、グループ登録処理を実行する。このグループ登録処理の具体的な内容は、後で図８のフローチャートにより説明する。ステップＳ６００を実行したら、登録部２０４ａは図５のフローチャートを終了する。一方、グループ登録を行わない場合、登録部２０４ａはステップＳ７００へ進む。
【００２８】
ステップＳ７００において、登録部２０４ａは、除外登録を行うか否かを判定する。除外登録とは、送信予約の除外対象としたい顔をメールアドレスに関連付けて登録することである。なお、送信予約された画像中に除外対象として登録された顔が含まれる場合、その画像に対する送信先の設定は無効化される。使用者がロータリーマルチセレクターの操作などによって除外登録を選択した場合、登録部２０４ａはステップＳ８００へ進み、除外登録処理を実行する。この除外登録処理の具体的な内容は、後で図９のフローチャートにより説明する。ステップＳ８００を実行したら、登録部２０４ａは図５のフローチャートを終了する。一方、除外登録を行わない場合、登録部２０４ａはステップＳ１００へ戻って処理を繰り返す。
【００２９】
次に、ステップＳ２００のメールアドレス登録処理について説明する。図６は、メールアドレス登録処理のフローチャートである。ステップＳ２０１において、登録部２０４ａは、メールアドレスを入力するためのメールアドレス入力画面（不図示）をモニタ２０８に表示する。ステップＳ２０２において、登録部２０４ａは、メールアドレス入力画面を表示しているときの使用者によるロータリーマルチセレクターの操作に応じて、メールアドレスを入力する。このとき使用者は、たとえばロータリーマルチセレクターを左右に回転させることにより文字を選択し、ロータリーマルチセレクターのＯＫボタン４ｂを押下することにより選択した文字を入力する。メールアドレスの全ての文字の入力を終えたら、登録部２０４ａはステップＳ２０３へ進む。
【００３０】
ステップＳ２０３において、登録部２０４ａは、ステップＳ２０２で入力したメールアドレスを使用者に確認させるための確認画面（不図示）をモニタ２０８に表示する。ステップＳ２０４において、登録部２０４ａは、ステップＳ２０３で表示した確認画面に対する使用者の操作に基づいて、確認結果がＯＫであるか否かを判定する。このとき使用者は、たとえばロータリーマルチセレクターのＯＫボタン４ｂを押下することにより、確認結果がＯＫであることを入力する。確認結果がＯＫであれば登録部２０４ａはステップＳ２０５へ進み、そうでなければステップＳ２０２へ戻ってメールアドレスを再度入力する。
【００３１】
ステップＳ２０５において、登録部２０４ａは、ステップＳ２０２で入力したメールアドレスを登録する。登録されたメールアドレスの情報は、フラッシュメモリ２０６に記録される。ステップＳ２０５を実行したら、登録部２０４ａは図６のフローチャートを終了する。このようにしてメールアドレス登録処理が実行される。
【００３２】
次に、ステップＳ４００の顔登録処理について説明する。図７は、顔登録処理のフローチャートである。ステップＳ４０１において、登録部２０４ａは、使用者によるロータリーマルチセレクターの操作に応じて、登録する顔の画像を新規に撮影するか否かを判定する。使用者が新規撮影を選択した場合はステップＳ４０２へ進み、そうでない場合はステップＳ４０６へ進む。なお、登録済みの顔データがない場合は、ステップＳ４０１において必ず新規撮影すると判定するようにしてもよい。
【００３３】
ステップＳ４０２において、登録部２０４ａは、撮影画面をモニタ２０８に表示する。この撮影画面では、撮像素子２０３によって取得された画像データに基づいてスルー画を表示すると共に、顔の位置の目安となる枠を表示する。使用者は、この撮影画面において登録したい顔が枠内に位置するように、カメラ２００の向きやズーム量を調節する。ステップＳ４０３において、登録部２０４ａは、レリーズ操作が行われたか否かを判定する。使用者によってレリーズ操作が行われたら、登録部２０４ａはステップＳ４０４へ進む。
【００３４】
ステップＳ４０４において、登録部２０４ａは、画像を撮影する。このとき、撮像素子２０３により顔の画像データが取得される。ステップＳ４０５において、登録部２０４ａは、ステップＳ４０４で撮影した画像のデータを顔データとして登録する。このとき、画像から顔の部分を自動的に抽出し、その顔の部分の画像データのみを顔データとして登録してもよい。登録された顔データは、フラッシュメモリ２０６に記録される。ステップＳ４０５を実行したら、登録部２０４ａはステップＳ４０８へ進む。
【００３５】
一方、ステップＳ４０１で新規撮影しないと判定した場合、ステップＳ４０６において登録部２０４ａは、既に登録済みの顔データをフラッシュメモリ２０６から読み出してモニタ２０８に一覧表示する。ステップＳ４０７において、登録部２０４ａは、ステップＳ４０６で一覧表示した登録済み顔データの中からいずれかの顔データが使用者によって選択されたか否かを判定する。使用者がロータリーマルチセレクターの操作などによっていずれかの顔データを選択したら、登録部２０４ａはステップＳ４０８へ進む。
【００３６】
ステップＳ４０８において、登録部２０４ａは、図６のメールアドレス登録処理によって既に登録済みのメールアドレスをフラッシュメモリ２０６から読み出して、モニタ２０８に一覧表示する。このとき、使用者によるロータリーマルチセレクターの操作に応じて、登録済みのメールアドレスの中からいずれかを選択することができる。あるいは、新規にメールアドレスを登録することもできる。ステップＳ４０９において、登録部２０４ａは、新規にメールアドレスを登録するか否かを判定する。使用者が新規にメールアドレスを登録することを選択した場合はステップＳ４１０へ進み、そうでない場合はステップＳ４１５へ進む。
【００３７】
ステップＳ４１０において、登録部２０４ａは、図６のステップＳ２０１と同様に、メールアドレス入力画面をモニタ２０８に表示する。ステップＳ４１１において、登録部２０４ａは、ステップＳ２０２と同様に、使用者によるロータリーマルチセレクターの操作に応じてメールアドレスを入力する。ステップＳ４１２において、登録部２０４ａは、ステップＳ２０３と同様に確認画面をモニタ２０８に表示する。ステップＳ４１３において、登録部２０４ａは、ステップＳ２０４と同様に、使用者の操作に応じて確認結果がＯＫであるか否かを判定する。ＯＫであれば登録部２０４ａはステップＳ４１４へ進み、そうでなければステップＳ４１１へ戻ってメールアドレスを再度入力する。
【００３８】
ステップＳ４１４において、登録部２０４ａは、ステップＳ４１１で入力したメールアドレスを、ステップＳ４０５で登録した顔データ、またはステップＳ４０７で選択された顔データに関連付けて登録する。これにより、後で説明する顔識別処理において識別対象物とされる顔の画像情報が、送信先のメールアドレスと互いに関連付けて登録される。登録されたメールアドレスは、関連付けされた顔データと共にフラッシュメモリ２０６に記録される。ステップＳ４１４を実行したら、登録部２０４ａは図７のフローチャートを終了する。
【００３９】
一方、ステップＳ４０９でメールアドレスを新規登録しないと判定した場合、ステップＳ４１５において、登録部２０４ａは、ステップＳ４０８で一覧表示した登録済みメールアドレスの中からいずれかのメールアドレスが選択されたか否かを判定する。いずれかのメールアドレスが選択されたらステップＳ４１６へ進む。ステップＳ４１６において、登録部２０４ａは、ステップＳ４１５で選択されたメールアドレスを、ステップＳ４０５で登録した顔データ、またはステップＳ４０７で選択された顔データに関連付けて登録する。これにより、ステップＳ４１４と同様に、後で説明する顔識別処理において識別対象物とされる顔の画像情報が、送信先のメールアドレスと互いに関連付けて登録される。ステップＳ４１６を実行したら、登録部２０４ａは図７のフローチャートを終了する。以上説明したようにして顔登録処理が実行される。
【００４０】
次に、ステップＳ６００のグループ登録処理について説明する。図８は、グループ登録処理のフローチャートである。ステップＳ６０１において、登録部２０４ａは、図７のステップＳ４０６と同様に、既に登録済みの顔データをフラッシュメモリ２０６から読み出してモニタ２０８に一覧表示する。ステップＳ６０２において、登録部２０４ａは、ステップＳ６０１で一覧表示した登録済み顔データの中から複数の顔データが使用者によって選択されたか否かを判定する。このとき使用者は、グループ登録する顔データとして、登録済みの顔データの中から、複数すなわち２つ以上の任意の数の顔データを選択することができる。使用者がロータリーマルチセレクターの操作などによって複数の顔データを選択したら、登録部２０４ａはステップＳ６０３へ進む。
【００４１】
以下に説明するステップＳ６０３〜Ｓ６１１において、登録部２０４ａは、図７のステップＳ４０８〜Ｓ４１６で説明したのと同様の処理をそれぞれ実行する。すなわち、登録部２０４ａは、ステップＳ６０３において登録済みのメールアドレスをモニタ２０８に一覧表示し、ステップＳ６０４において新規にメールアドレスを登録するか否かを判定する。新規にメールアドレスを登録する場合、登録部２０４ａは、ステップＳ６０５においてメールアドレス入力画面をモニタ２０８に表示し、ステップＳ６０６においてメールアドレスを入力し、ステップＳ６０７において確認画面を表示し、ステップＳ６０８において確認結果がＯＫであるか否かを判定する。ＯＫであれば、ステップＳ６０９において、登録部２０４ａは、ステップＳ６０６で入力したメールアドレスを、ステップＳ６０２で選択された複数の顔データに関連付けて登録する。これにより、後で説明する顔識別処理において識別対象物とされる複数の顔の画像情報に対して、図７のステップＳ４１４またはＳ４１６で設定された各々に個別の送信先のメールアドレスに加えて、共通の送信先のメールアドレスがさらに関連付けて登録される。登録されたメールアドレスはフラッシュメモリ２０６に記録される。ステップＳ６０９を実行したら、登録部２０４ａは図８のフローチャートを終了する。
【００４２】
一方、ステップＳ６０４でメールアドレスを新規登録しないと判定した場合、ステップＳ６１０において、登録部２０４ａは、ステップＳ６０３で一覧表示した登録済みメールアドレスの中からいずれかのメールアドレスが選択されたか否かを判定する。いずれかのメールアドレスが選択されたらステップＳ６１１へ進む。ステップＳ６１１において、登録部２０４ａは、ステップＳ６１０で選択されたメールアドレスを、ステップＳ６０２で選択された複数の顔データに関連付けて登録する。これにより、ステップＳ６０９と同様に、後で説明する顔識別処理において識別対象物とされる複数の顔の画像情報に対して、図７のステップＳ４１４またはＳ４１６で設定された各々に個別の送信先のメールアドレスに加えて、共通の送信先のメールアドレスがさらに関連付けて登録される。ステップＳ６１１を実行したら、登録部２０４ａは図８のフローチャートを終了する。以上説明したようにしてグループ登録処理が実行される。
【００４３】
次に、ステップＳ８００の除外登録処理について説明する。図９は、除外登録処理のフローチャートである。ステップＳ８０１において、登録部２０４ａは、図７のステップＳ４０６や図８のステップＳ６０１と同様に、既に登録済みの顔データをフラッシュメモリ２０６から読み出してモニタ２０８に一覧表示する。ステップＳ８０２において、登録部２０４ａは、ステップＳ８０１で一覧表示した登録済み顔データの中からいずれかの顔データが使用者によって選択されたか否かを判定する。使用者がロータリーマルチセレクターの操作などによっていずれかの顔データを選択したら、登録部２０４ａはステップＳ８０３へ進む。
【００４４】
ステップＳ８０３において、登録部２０４ａは、ステップＳ８０２で選択された顔データを除外対象として登録する。これにより、撮影処理実行部２０４ｂが実行する撮影処理において画像の送信先を設定する際に除外対象物とされる顔の画像情報が登録される。
【００４５】
ステップＳ８０４において、登録部２０４ａは、図７のステップＳ４０８および図８のステップＳ６０３と同様に、登録済みのメールアドレスをモニタ２０８に一覧表示する。ステップＳ８０５において、登録部２０４ａは、ステップＳ８０４で一覧表示した登録済みメールアドレスの中からいずれかのメールアドレスが選択されたか否かを判定する。いずれかのメールアドレスが選択されたらステップＳ８０６へ進む。ステップＳ８０６において、登録部２０４ａは、ステップＳ８０５で選択されたメールアドレスを、ステップＳ８０３で登録された除外対象の顔データに関連付けて登録する。こうして除外対象の顔データに関連付けてメールアドレスが登録されることにより、当該メールアドレスに対して除外設定が行われる。ステップＳ８０６を実行したら、登録部２０４ａは図９のフローチャートを終了する。以上説明したようにして除外登録処理が実行される。
【００４６】
登録部２０４ａは、以上説明したような処理を実行することにより、送信先のメールアドレスや顔データの登録を行う。
【００４７】
登録部２０４ａが実行する登録処理によって作成される管理データの例を図１２に示す。この管理データでは、送信先のメールアドレスとして、アドレスＡ、ＢおよびＣが登録されている。アドレスＡには、ニックネーム「Ａさん」と、顔データ５ａ、５ｂおよび５ｃが登録されている。この顔データ５ａ、５ｂおよび５ｃは、グループ登録もされている。また、顔データ５ｄおよび５ｅが除外対象として登録されている。アドレスＢには、ニックネーム「Ｂさん」と、顔データ５ｄよび５ｅが登録されており、アドレスＣには、ニックネーム「Ｃさん」と、顔データ５ｃが登録されている。このような管理データが登録部２０４ａによって作成され、フラッシュメモリ２０６に記録される。
【００４８】
次に、撮影処理実行部２０４ｂが実行する撮影処理のフローチャートを図１０に示す。この処理は、使用者によるメニュー操作に基づいて、カメラ２００のモードが撮影モードに設定されると起動するプログラムとして実行される。
【００４９】
ステップＳ９０１において、撮影処理実行部２０４ｂは、撮像素子２０３によって取得された画像データに基づいて、スルー画をモニタ２０８に表示する。ステップＳ９０２において、撮影処理実行部２０４ｂは、使用者によってレリーズボタンの半押し操作が行われたか否かを判定する。半押し操作が行われたら、撮影処理実行部２０４ｂはステップＳ９０３へ進む。
【００５０】
ステップＳ９０３において、撮影処理実行部２０４ｂは、レンズ２０２の焦点調節を行う。この焦点調節は周知の方法により行うことができる。たとえば、コントラスト検出方式や、瞳分割による位相差検出方式などを用いることができる。なお、焦点調節を行わずにマニュアルフォーカスとしてもよい。
【００５１】
ステップＳ９０４において、撮影処理実行部２０４ｂは、使用者によるレリーズボタンの半押し操作が解除されたか否かを判定する。半押し操作が解除された場合、撮影処理実行部２０４ｂは、以降の処理を実行せずに図１０のフローチャートを終了する。一方、半押し操作が解除されていない場合、撮影処理実行部２０４ｂはステップＳ９０５へ進む。ステップＳ９０５において、撮影処理実行部２０４ｂは、使用者によってレリーズボタンの全押し操作が行われたか否かを判定する。全押し操作が行われたら、撮影処理実行部２０４ｂはステップＳ９０６へ進む。一方、全押し操作が行われていなければ、撮影処理実行部２０４ｂはステップＳ９０４へ戻る。
【００５２】
ステップＳ９０６において、撮影処理実行部２０４ｂは、撮像素子２０３を用いて画像を撮影する。ステップＳ９０７において、撮影処理実行部２０４ｂは、ステップＳ９０５で撮影した画像を取得し、その画像のデータをメモリカードスロット２０７に挿入されたメモリカードに記録する。
【００５３】
ステップＳ９０８において、撮影処理実行部２０４ｂは、ステップＳ９０７で取得した画像に対して顔検出処理を行う。この顔検出処理では、画像の色情報や撮影時の焦点距離などに基づいて、ステップＳ９０７で取得した画像中で人物の顔の特徴に合致する分を検出し、その部分を顔として抽出する。
【００５４】
ステップＳ９０９において、撮影処理実行部２０４ｂは、ステップＳ９０８の顔検出処理によって画像から顔が検出されたか否かを判定する。顔が検出された場合はステップＳ９１０へ進む。一方、人物の顔の特徴に合致する部分が画像中に存在せず、したがって顔が検出されなかった場合には、撮影処理実行部２０４ｂは、これ以降の処理を実行せずに図１０のフローチャートを終了する。
【００５５】
ステップＳ９１０において、撮影処理実行部２０４ｂは、ステップＳ９０８の顔検出処理によって検出された顔が登録されている顔であるかどうかを識別するための顔識別処理を行う。この顔識別処理では、図７のステップＳ４０５において登録された顔データに基づいて、その顔データが表す顔と検出された顔とを照合し、両者が同様の特徴を有しているか否かを判断することにより、検出された顔の識別が行われる。なお、ステップＳ９０８において画像から複数の顔が検出された場合、ステップＳ９１０では、その顔の各々に対して顔識別処理が行われる。
【００５６】
ステップＳ９１１において、撮影処理実行部２０４ｂは、ステップＳ９１０の顔識別処理の結果に基づいて、ステップＳ９０８で検出された顔が登録されている顔と一致するか否かを判定する。一致する場合、すなわち検出された顔が登録された顔データのいずれかと同様の特徴を有している場合はステップＳ９１２へ進み、一致しない場合はステップＳ９１４へ進む。これにより、ステップＳ９０７で取得した画像が識別対象物として登録された顔を含むか否かの判定が行われる。なお、ステップＳ９０８において画像から複数の顔が検出され、その顔の各々に対してステップＳ９１０の顔識別処理が行われた場合、ステップＳ９１１では、その顔の各々について登録されている顔と一致するか否かが判定される。
【００５７】
ステップＳ９１２において、撮影処理実行部２０４ｂは、ステップＳ９１０で行った顔識別の結果をフラッシュメモリ２０６に記録する。すなわち、画像から検出された顔が、既に登録されている顔の中でどれと一致しているかを表す情報を、当該画像のデータに関連付けて記録する。
【００５８】
ステップＳ９１３において、撮影処理実行部２０４ｂは、顔識別された顔データと関連付けて登録されたメールアドレスを当該画像の宛先として、画像の送信予約設定を行う。これにより、ステップＳ９１０および９１１において識別対象物として登録された顔を含むと判定された画像に対して、ステップＳ４１４またはＳ４１６においてその顔に関連付けて登録された送信先のメールアドレスが設定される。なお、ステップＳ９１１において複数の顔が登録されている顔と一致すると判定された場合、ステップＳ９１３では、その顔の各々に関連付けて登録された宛先のメールアドレスが設定される。
【００５９】
ステップＳ９１４において、撮影処理実行部２０４ｂは、ステップＳ９１３で送信予約設定したメールアドレスが既に当該画像に対して送信予約設定済みであるか否かを判定する。既に送信予約設定済みである場合、撮影処理実行部２０４ｂはステップＳ９１５へ進み、ステップＳ９１５において、直前のステップＳ９１３で行ったメールアドレスへの送信予約設定をキャンセルした後、ステップＳ９１６へ進む。これにより、登録されている複数の顔に同一のメールアドレスが関連付けられており、その複数の顔が１つの画像内に含まれる場合において、当該メールアドレスに重複して画像が送信されるのを防ぐことができる。一方、メールアドレスが送信予約設定済みでない場合は、ステップＳ９１５を実行せずにステップＳ９１６へ進む。
【００６０】
ステップＳ９１６において、撮影処理実行部２０４ｂは、ステップＳ９０８で検出された顔をステップＳ９１０の顔識別処理によって全て識別したか否かを判定する。未だ識別していない顔がある場合はステップＳ９１０へ戻り、前述のようにその顔の各々に対して顔識別処理を行って、登録されている顔と一致するか否かを判定する。検出した顔が登録されている顔と一致する場合は、その顔と関連付けられたメールアドレスを送信予約設定する。一方、検出された顔を全て識別済みである場合、撮影処理実行部２０４ｂはステップＳ９１７へ進む。
【００６１】
ステップＳ９１７において、撮影処理実行部２０４ｂは、ステップＳ９１３で送信予約設定したメールアドレスの中に、図９の除外登録処理によって除外設定されたメールアドレスがあるか否かを判定する。除外設定されたメールアドレスがあればステップＳ９１８へ進み、なければステップＳ９２２へ進む。
【００６２】
ステップＳ９１８において、撮影処理実行部２０４ｂは、ステップＳ９１３で送信予約設定したメールアドレスのうちで除外設定されたメールアドレスを選択する。ステップＳ９１９において、撮影処理実行部２０４ｂは、ステップＳ９１８で選択したメールアドレスにおいて除外対象とされた顔と一致する顔、すなわち当該メールアドレスに関連付けて除外登録された顔データが表す顔が、ステップＳ９０８で検出した顔の中に存在するか否かを判定する。このような顔が存在する場合、撮影処理実行部２０４ｂはステップＳ９２０へ進み、ステップＳ９２０において、選択したメールアドレスへの送信予約設定を無効化する。これにより、識別対象物として登録された顔を含むと判定された画像が除外対象物とされた顔を含む場合には、その画像に対する送信先の設定が無効化される。こうして無効化された送信先に対しては、後で説明するように、画像の送信前に表示される図１３の確認用画面において対応するチェックボックスのチェックマークが外される。なお、前述のステップＳ９１５において送信予約設定をキャンセルした場合とは異なり、ここで無効化された送信先の設定は、画像を送信する際に有効化することもできる。この点については後で説明する。
【００６３】
ステップＳ９２０を実行したら、撮影処理実行部２０４ｂはステップＳ９２１へ進む。一方、ステップＳ９１９において除外対象とされた顔と一致する顔が検出した顔の中に存在しないと判定した場合、撮影処理実行部２０４ｂは、ステップＳ９２０を実行せずにステップＳ９２１へ進む。
【００６４】
ステップＳ９２１において、撮影処理実行部２０４ｂは、ステップＳ９１８で除外設定されたメールアドレスを全て選択したか否かを判定する。未選択のメールアドレスがある場合はステップＳ９１８へ戻り、いずれかのメールアドレスを選択した後、前述のような処理を繰り返す。除外設定された全てのメールアドレスを選択済みである場合、撮影処理実行部２０４ｂはステップＳ９２２へ進む。
【００６５】
ステップＳ９２２において、撮影処理実行部２０４ｂは、ステップＳ９０８で検出した顔の中に、図８のグループ登録処理によってグループ登録された複数の顔が全て存在するか否かを判定する。グループ登録された複数の顔が全て存在する場合、撮影処理実行部２０４ｂはステップＳ９２３へ進む。一方、グループ登録された複数の顔のうち少なくとも１つ以上の顔が存在しない場合、撮影処理実行部２０４ｂはステップＳ９２５へ進む。
【００６６】
ステップＳ９２３において、撮影処理実行部２０４ｂは、登録された複数の顔のグループと関連付けられたメールアドレスを当該画像の宛先として、画像の送信予約設定を行う。次のステップＳ９２４において、撮影処理実行部２０４ｂは、ステップＳ９１３で送信予約設定したメールアドレスのうち、グループ登録された顔の各々と関連付けられたメールアドレスの送信予約設定をキャンセルする。これにより、識別対象物としてグループ登録された複数の顔を含む画像に対しては、その顔の各々に対応する個別の送信先のメールアドレスに替えて、共通の送信先のメールアドレスが設定される。
【００６７】
ステップＳ９２５において、撮影処理実行部２０４ｂは、ステップＳ９１３またはＳ９２３で行った送信予約設定を確定する。ステップＳ９２５を実行したら、撮影処理実行部２０４ｂは図１０のフローチャートを終了する。以上説明したような撮影処理が実行されることにより、画像の撮影および送信予約が行われる。
【００６８】
なお、以上説明した撮影処理において、ステップＳ９０１〜Ｓ９０７の処理と、Ｓ９０８以降の処理とを別々に行うようにしてもよい。すなわち、画像を撮影する際には、ステップＳ９０１〜Ｓ９０７の処理を実行することにより、画像を撮影して記録する。その後、撮影モードが終了したときや使用者からの指示があったときに、ステップＳ９０８以降の処理を実行し、画像の送信予約設定を行うようにする。このようにしてもよい。
【００６９】
次に、データ送信部２０４ｃが実行する送信制御処理のフローチャートを図１１に示す。この処理は、図１０の撮影処理によって送信予約設定された画像の画像記録用サーバー３００への送信が使用者によって指示されたとき、または図１１のフローチャートを前回実行してから所定時間が経過したときに起動するプログラムとして実行される。
【００７０】
ステップＳ１００１において、データ送信部２０４ｃは、通信モジュール２０９を制御して、通信可能なアクセスポイント６００のＳＳＩＤを検索する。ステップＳ１００２において、データ送信部２０４ｃは、ステップＳ１００１での検出結果に基づいて、通信可能なアクセスポイント６００のＳＳＩＤがあるか否かを判定する。通信可能なアクセスポイント６００のＳＳＩＤがあれば、データ送信部２０４ｃはステップＳ１００３へ進み、なければ図１１のフローチャートを終了する。
【００７１】
ステップＳ１００３において、データ送信部２０４ｃは、ステップＳ１００１での検出結果に基づいて、カメラ２００に最新に登録されたＳＳＩＤ（最新登録ＳＳＩＤ）が、通信可能範囲内にあるか否かを判断する。肯定判断した場合には、ステップＳ１００４へ進み、データ送信部２０４ｃは、最新登録ＳＳＩＤを接続先として選択する。
【００７２】
その後、ステップＳ１００５へ進み、データ送信部２０４ｃは、選択した最新登録ＳＳＩＤへの接続キャンセル操作が使用者によって行われていないか否かを判断し、肯定判断した場合には、後述するステップＳ１００８へ進む。これに対して、ステップＳ１００３またはステップＳ１００５で否定判断した場合には、ステップＳ１００６へ進み、データ送信部２０４ｃは、カメラ２００にすでに登録済みのＳＳＩＤのリストをモニタ２０８に表示して、ステップＳ１００７へ進む。ステップＳ１００７において、データ送信部２０４ｃは、使用者によってリスト中からいずれかのＳＳＩＤが選択されたか否かを判断し、肯定判断した場合には、ステップＳ１００８へ進む。
【００７３】
ステップＳ１００８において、データ送信部２０４ｃは、これから送信しようとする画像とその画像の送信先とを使用者に確認させるための確認用画面をモニタ２０８に表示する。このとき表示される確認用画面の例を図１３に示す。図１３（ａ）の確認用画面では、送信先のニックネームである「Ａさん」、「Ｂさん」および「Ｃさん」と、それぞれの送信先アドレスとが一覧表示されている。この確認用画面において、使用者はロータリーマルチセレクターを左右に回転させることによりカーソル６を移動させ、いずれかの送信先を選択する。その後、ロータリーマルチセレクターのＯＫボタン４ｂを押下すると、図１３（ｂ）の確認用画面に切り替わる。
【００７４】
図１３（ｂ）の確認用画面では、選択した送信先に対する送信画像の一覧がサムネイル画像７ａ〜７ｈによって表示される。これらのサムネイル画像７ａ〜７ｈには、それぞれチェックボックス８ａ〜８ｈが付されている。使用者はロータリーマルチセレクターを左右に回転させることによりチェックボックス８ａ〜８ｈのいずれかを選択し、ロータリーマルチセレクターのＯＫボタン４ｂを押下することにより、チェックボックス８ａ〜８ｈのチェックマークを付けたり外したりすることができる。また、確定ボタン７ｉを選択してロータリーマルチセレクターのＯＫボタン４ｂを押下すると、図１３（ａ）の確認用画面に戻る。
【００７５】
サムネイル画像７ｂ〜７ｈにそれぞれ対応するチェックボックス８ｂ〜８ｈには、いずれもチェックマークが付いている。このチェックマークを外すと、対応する画像の送信設定が解除される。このような操作は送信設定解除操作と呼ばれる。また、サムネイル画像７ａに対応するチェックボックス８ａはチェックマークが付いていない。このチェックボックス８ａにチェックマークを付けると、対応する画像の送信設定が有効化される。このような操作は送信設定有効化操作と呼ばれる。なお、図１０のステップＳ９２０で送信予約設定が無効化された場合は、確認用画面において対応するチェックボックスのチェックマークが外された状態で表示される。このように、ステップＳ９２０の処理によって送信先の設定が無効化された画像は、確認用画面において他の画像と区別して表示される。
【００７６】
以上説明したように、通信モジュール２０９がアクセスポイント６００へ画像を送信する前に、その画像とその画像に設定された送信先とを含む確認用画面がモニタ２０８に表示される。
【００７７】
ステップＳ１００９において、データ送信部２０４ｃは、前述の送信設定解除操作が使用者から行われたか否かを判定する。送信設定解除操作が使用者から行われた場合、データ送信部２０４ｃはステップＳ１０１０へ進み、該当する画像の送信設定を解除する。なお、１つの画像に対して複数の送信先が設定されている場合は、送信先ごとに送信設定を解除することができる。その後、データ送信部２０４ｃはステップＳ１０１１へ進む。一方、使用者から送信設定解除操作が行われなかった場合、データ送信部２０４ｃはステップＳ１０１０を実行せずにステップＳ１０１１へ進む。
【００７８】
ステップＳ１０１１において、データ送信部２０４ｃは、前述の送信設定有効化操作が使用者から行われたか否かを判定する。送信設定有効化操作が使用者から行われた場合、データ送信部２０４ｃはステップＳ１０１２へ進み、該当する画像の送信設定を有効化する。なお、１つの画像に対して複数の送信先が無効化されている場合は、送信先ごとに送信設定を有効化することができる。その後、データ送信部２０４ｃはステップＳ１０１３へ進む。一方、使用者から送信設定有効化操作が行われなかった場合、データ送信部２０４ｃはステップＳ１０１２を実行せずにステップＳ１０１３へ進む。
【００７９】
ステップＳ１０１３において、データ送信部２０４ｃは、送信を開始するか否かを判定する。使用者により送信開始が指示された場合、データ送信部２０４ｃはステップＳ１０１４へ進む。送信開始の指示がない場合はステップＳ１００９へ戻り、前述のような処理を繰り返す。
【００８０】
ステップＳ１０１４において、データ送信部２０４ｃは、ステップＳ１００４で選択した最新登録ＳＳＩＤ、またはステップＳ１００７で使用者によって選択されたＳＳＩＤを接続先として、アクセスポイント６００との間で無線通信を確立する。
【００８１】
ステップＳ１０１５において、データ送信部２０４ｃは、通信モジュール２０９を制御して、図１０の撮影処理によって送信予約設定された画像を、送信先の情報と共にアクセスポイント６００へ送信する。このとき、図１０のステップＳ９２０において送信予約設定を無効化された画像や、ステップＳ１０１０において送信設定解除操作が行われた画像は、送信の対象から除外される。ただし、ステップＳ１０１２において送信設定有効化操作が行われた場合、その画像は送信の対象に加えられる。こうして送信された画像はアクセスポイント６００から画像記録用サーバー３００へ送られ、画像記録用サーバー３００において記録される。さらに、指定された送信先のメールアドレスに向けたお知らせメールがメールサーバー４００へ送信される。
【００８２】
ステップＳ１０１５において送信予約設定された全ての画像を送信したら、データ送信部２０４ｃはステップＳ１０１６へ進み、ステップＳ１０１６においてアクセスポイント６００との接続を解除する。ステップＳ１０１６を実行したら、データ送信部２０４ｃは図１１のフローチャートを終了する。以上説明したような送信制御処理が実行されることにより、送信予約設定された画像が送信される。
【００８３】
以上説明した実施の形態によれば、次のような作用効果を奏する。
（１）登録部２０４ａは、顔登録処理を実行することにより、識別対象物とする顔の画像情報と送信先とを互いに関連付けて登録する（ステップＳ４１４、Ｓ４１６）。撮影処理実行部２０４ｂは、撮影処理を実行することにより、画像を取得し（ステップＳ９０７）、登録部２０４ａによって登録された画像情報に基づいて、取得した画像が識別対象物である顔を含むか否かを判定する（ステップＳ９１１）。この判定により識別対象物の顔を含むと判定された画像に対して、撮影処理実行部２０４ｂは、登録部２０４ａによって登録された送信先を設定する（ステップＳ９１３）。データ送信部２０４ｃは、送信制御処理を実行することにより、撮影処理実行部２０４ｂによって送信先を設定された画像を通信モジュール２０９からアクセスポイント６００へ送信させる（ステップＳ１０１５）。こうして通信モジュール２０９が画像を送信する前に、データ送信部２０４ｃは、その画像とその画像に設定された送信先とを含む確認用画面をモニタ２０８に表示させる（ステップＳ１００８）。このようにしたので、画像の送信先を使用者に事前に確認させることができる。
【００８４】
（２）データ送信部２０４ｃは、確認用画面が表示されているときの使用者の操作に応じて、画像に対する送信先の設定を解除する（ステップＳ１０１０）。このようにしたので、使用者が意図しない送信先に画像が送信されてしまうのを防ぐことができる。
【００８５】
（３）登録部２０４ａは、除外登録処理において、除外対象物とする顔の画像情報をさらに登録する（ステップＳ８０３）。撮影処理実行部２０４ｂは、ステップＳ９１１において識別対象物である顔を含むと判定された画像が、登録部２０４ａによって除外対象物として登録された顔を含む場合には、その画像に対する送信先の設定を無効化する（ステップＳ９２０）。データ送信部２０４ｃは、ステップＳ１０１５において、こうして送信先の設定が無効化された画像を通信モジュール２０９による送信の対象から除外する。このようにしたので、使用者が予め設定した顔を含む画像を送信しないようにすることができる。
【００８６】
（４）データ送信部２０４ｃは、確認用画面において、撮影処理実行部２０４ｂが行うステップＳ９２０の処理によって送信先の設定が無効化された画像を他の画像と区別してモニタ２０８に表示させる。このようにしたので、使用者は、送信先の設定が無効化された画像を確認用画面において容易に見分けることができる。
【００８７】
（５）データ送信部２０４ｃは、確認用画面が表示されているときの使用者の操作に応じて、送信先の設定が無効化された画像に対してその送信先の設定を有効化する（ステップＳ１０１２）。ステップＳ１０１５では、こうして送信先の設定が有効化された画像を通信モジュール２０９による送信の対象に加える。このようにしたので、送信先の設定が無効化された画像であっても、使用者が希望する場合は送信することができる。
【００８８】
（６）登録部２０４ａは、グループ登録処理において、複数の顔の画像情報に対して、各々に個別の送信先に加えて共通の送信先をさらに関連付けて登録する（ステップＳ６０９、Ｓ６１１）。撮影処理実行部２０４ｂは、この複数の顔を含む画像に対しては、個別の送信先に替えて、登録部２０４ａによって登録された共通の送信先を設定する（ステップＳ９２３、Ｓ９２４）。このようにしたので、使用者が予めグループ登録した複数の顔を含む画像を１つの送信先へ送信することができる。たとえば、家族で撮影した画像を家族で共通の送信先へ送信することができる。
【００８９】
―変形例―
なお、以上説明した実施の形態による画像転送システムは、以下のように変形することもできる。
（１）上述した実施の形態では、人物の顔を識別対象物や除外対象物としたが、顔以外のものを識別対象物や除外対象物としてもよい。予め識別対象物の画像情報を登録し、その画像情報に基づいて、取得した画像が識別対象物を含むか否かを判定できる限り、どのようなものであってもよい。また、文字、数字、図形、記号などを識別対象物または除外対象物の情報として登録してもよい。
【００９０】
（２）上述した実施の形態では、画像ファイルはメモリカードスロット２０７に挿入されたメモリカードに記録し、登録した顔データやメールアドレスの情報はフラッシュメモリ２０６に記録した。すなわち、画像ファイルと管理データとを物理的に異なる記憶媒体に記録する例について説明した。しかしながら、それぞれを物理的に同一の記憶媒体に記録するようにしてもよい。例えば、画像ファイルと管理データとを、同一のメモリカードに記録してもよく、同一のフラッシュメモリに記録するようにしてもよい。また、画像ファイルを記憶媒体へ記録するための回路または装置と、管理データを記憶媒体へ記録するための回路または装置は、物理的に同一であっても、異なるものであってもよい。
【００９１】
（３）上述した実施の形態では、カメラ２００は、通信モジュール２０９を備える例について説明した。しかしながら、カメラ２００は、通信モジュールを必須の構成要素として備えず、通信モジュール２０９をカメラ２００に着脱可能な構成としてもよい。例えば、カメラ２００は、ＵＳＢ接続等により、無線通信モジュール２０９を備えた外部の無線機器と接続して無線通信を行うようにしてもよい。あるいは、カメラ２００は、無線通信用のカードを挿入するためのスロットを備え、当該スロットに挿入された無線通信用カードを用いて無線通信を行うようにしてもよい。
【００９２】
（４）上述した実施の形態では、データ送信部２０４ｃは、画像ファイルを画像記録用サーバー３００へ送信するようにした。しかしながら、画像の送信先は、無線通信を介して接続可能な他の外部装置、例えばパーソナルコンピュータや、画像ファイル記録用のフォトストレージャなどであってもよい。
【００９３】
（５）上述した実施の形態では、画像記録用サーバー３００は、図２に示した画像へのリンク２ａやサムネイル画像２ｃを含むお知らせメールを作成して、指定された宛先に送信する例について説明した。しかしながら、画像記録用サーバー３００は、画像ファイルを添付したメールを作成して、指定された宛先に送信するようにしてもよい。
【００９４】
なお、本発明の特徴的な機能を損なわない限り、本発明は、上述した実施の形態における構成に何ら限定されない。
【図面の簡単な説明】
【００９５】
【図１】画像転送システムの一実施の形態の構成を示すブロック図である。
【図２】お知らせメールの具体例を示す図である。
【図３】カメラ２００の一実施の形態の構成を示すブロック図である。
【図４】ロータリーマルチセレクターを模式的に示す図である。
【図５】登録処理のフローチャートである。
【図６】メールアドレス登録処理のフローチャートである。
【図７】顔登録処理のフローチャートである。
【図８】グループ登録処理のフローチャートである。
【図９】除外登録処理のフローチャートである。
【図１０】撮影処理のフローチャートである。
【図１１】送信制御処理のフローチャートである。
【図１２】管理データの例を示す図である。
【図１３】確認用画面の例を示す図である。
【符号の説明】
【００９６】
１００  画像転送システム、２００  カメラ、２０１  操作部材、２０２  レンズ、２０３  撮像素子、２０４  制御装置、２０４ａ  登録部、２０４ｂ  撮影処理実行部、２０４ｃ  データ送信部、２０５  ＳＤＲＡＭ、２０６  フラッシュメモリ、２０７  メモリカードスロット、２０８  モニタ、２０９  通信モジュール、３００  画像記録用サーバー、４００  メールサーバー、５００  パーソナルコンピュータ（ＰＣ）、６００  アクセスポイント
【図１】
2010045620.tif 000003
【図２】
2010045620.tif 000004
【図３】
2010045620.tif 000005
【図４】
2010045620.tif 000006
【図５】
2010045620.tif 000007
【図６】
2010045620.tif 000008
【図７】
2010045620.tif 000009
【図８】
2010045620.tif 000010
【図９】
2010045620.tif 000011
【図１０】
2010045620.tif 000012
【図１１】
2010045620.tif 000013
【図１２】
2010045620.tif 000014
【図１３】
2010045620.tif 000015